(57)【特許請求の範囲】
【請求項１】
内部にウレタン製マットや布団等の敷寝具本体を入れるようにした袋状シーツにおいて、
敷寝具本体の上面に沿って配位される上面部と、下面に沿って配位される下面部とを備え、
上面部は複数の編地を備えた立体編地により構成され、
この立体編地は、表裏２層のメッシュ状編地と、この２層のメッシュ状編地を連結する複数の連結糸より構成されたものであり、
上記の上面部と上記の下面部との間を繋ぐ側面部を備え、
この側面部は生地によって構成され、下面部は側面部の生地よりも伸縮性の高い生地によって構成され、この下面部は、引っ張り力を加えない状態で上記の上面部より小さく形成されたものであることを特徴とする袋状シーツ。
【請求項２】
上面部は上記の立体編地が複数枚重ねられたものであり、この重ねられた複数の立体編地の周縁がヘム用テープによって被覆され、側面部の上端が立体編地の上面であってヘム用テープより内側の位置に縫着され、側面部の下端が下面部と縫着されたものであることを特徴とする請求項１記載の袋状シーツ。
【請求項３】
請求項２記載の袋状シーツの内部に敷寝具本体が入れられたものであり、この敷寝具本体の上面の大きさが上記の袋状シーツの上面部の大きさよりも小さく形成され、敷寝具本体を袋状シーツに入れた状態で、袋状シーツの上面部と側面部との間の縫着箇所が敷寝具本体の上面よりも下方に位置しており、袋状シーツの下面部と側面部との間の縫着箇所が敷寝具本体の下面よりも下方に位置していることを特徴とする袋状シーツを備えた敷寝具。
【発明の詳細な説明】
【技術分野】
【０００１】
本願発明は、ウレタン製マット等のマットレスや敷布団等の敷寝具本体を入れるようにした袋状シーツに関するものである。
【背景技術】
【０００２】
従来より、特許文献１、特許文献２に示すように、布団を収納袋内に容易に収納できるようにした布団カバーが知られている。この種の布団カバーは、敷寝具本体の上方に配位される上面部と、下方に配位される下面部と、この上面部と下面部との間を繋ぐ側面部とを備え、この上面部と下面部とは、生地で形成されているのが一般的であるが、特許文献２にあっては、タオル地で形成されている。
【０００３】
また、本願発明者は特許文献３に記載の体圧分散効果を有する積層された立体編地を開発している。この立体編地は、表裏２層の編地と、この２層の編地を連結する複数の連結糸より構成された立体編地の特性を活かすようにして、複数枚積層することにより、体圧分散効果を高めたものであり、これを、敷布団や敷マットの上に敷いて用いることにより、優れた体圧分散効果と、良好な通気性によって、褥瘡防止をなすことができる。ところが、この立体編地と敷布団等の敷寝具本体との間に位置ずれなどが生じてしまいその改善が望まれている。また、体圧分散効果が高いということは、敷寝具が柔らかくなる傾向にあるが、柔らかい敷寝具は安定性が低下するという課題がある。特に、要介護者が敷寝具の側端部に腰をかけて、車椅子などに乗り移ろうとするとき、敷寝具の端部に安定性がないと、うまく腰を掛けることができなかったり、よろけてしまったりして、車椅子への昇降が困難になってしまう。
【０００４】
【特許文献１】特開平９−９４１４７号公報
【特許文献２】登録実用新案第３０７６５４５号公報
【特許文献３】特許第３６４７２３２号公報
【発明の開示】
【発明が解決しようとする課題】
【０００５】
本願発明は、優れた体圧分散効果と良好な通気性を有する立体編地を、ずれなく、適正な位置で敷寝具本体に配位することができる袋状シーツを提供せんとするものである。また、本願発明は、マットレスなどの敷寝具本体の端に腰をかけるなどした場合、敷寝具本体の端縁が沈んでしまって型崩れが生ずることがあるが、この型崩れのおそれを低減することができる袋状シーツを提供せんとするものである。
【課題を解決するための手段】
【０００６】
本願発明は、内部にウレタン製マットや布団等の敷寝具本体を入れるようにした袋状シーツにおいて、敷寝具本体の上面に沿って配位される上面部と、下面に沿って配位される下面部とを備え、上面部は複数の編地を備えた立体編地により構成され、この立体編地は、表裏２層のメッシュ状編地と、この２層のメッシュ状編地を連結する複数の連結糸より構成されたものであり、上記の上面部と上記の下面部との間を繋ぐ側面部を備え、この側面部は生地によって構成され、下面部は側面部の生地よりも伸縮性の高い生地によって構成され、この下面部は、引っ張り力を加えない状態で上記の上面部より小さく形成されたものであることを特徴とする袋状シーツを提供する。
【０００７】
本願発明は、上記の袋状シーツであって上面部は上記の立体編地が複数枚重ねられたものであり、この重ねられた複数の立体編地の周縁がヘム用テープによって被覆され、側面部の上端が立体編地の上面であってヘム用テープより内側の位置に縫着され、側面部の下端が下面部と縫着されたものであることを特徴とする袋状シーツを提供する。
【０００８】
本願発明は、上記の袋状シーツの内部に敷寝具本体が入れられたものであり、この敷寝具本体の上面の大きさが上記の袋状シーツの上面部の大きさよりも小さく形成され、敷寝具本体を袋状シーツに入れた状態で、袋状シーツの上面部と側面部との間の縫着箇所が敷寝具本体の上面よりも下方に位置しており、袋状シーツの下面部と側面部との間の縫着箇所が敷寝具本体の下面よりも下方に位置していることを特徴とする袋状シーツを備えた敷寝具を提供する。
【０００９】
本願発明において、「メッシュ状編地」とは、メッシュ編地、マーキゼット編地等の複数の開口部を有する編地を意味するものである。より具体的には、図１や図２に例示したように、複数の開口部を有する編地１，２を表裏何れか少なくとも一方の面に備えた立体編地３を用いることによって、立体編地３内に空間を確保して、その空間を介して立体編地３に通気性を付与するものである。特に、表裏両方の面に、メッシュ状編地を用いることによって、通気性はさらに向上するものである。表裏の編地１，２は、同一の組織の編地としてもよいが、異なる組織を有するメッシュ状編地で形成してもよい。
【００１０】
連結糸３１は、メッシュ状の編地１の編目の少なくとも３０％から他方の編地２に向けて延びていものである。この連結糸３１は、表裏の編地１，２の間に介在することによって、編地１，２間に間隔を形成すると共に、この連結糸３１が弾性を持って変形することによって、編地１，２間の間隔を小さくして収縮するものである。ここで言う弾性とは、人の荷重によって変形することができ、荷重がなくなると元の形状に復帰することができる程度の弾性を言う。そして、適度の弾性を保つために、連結糸３１は、メッシュ状の編地１，２の編目の３０％以上必要とする。連結糸３１の本数が編地１，２の編目の数の個数の３０％に満たない場合には、充分な伸縮弾性が維持されないおそれがある。比較的固いクッションを得るには、より多くの連結糸３１を必要とするため、各編目から少なくとも１本の連結糸３１を出すようにし、連結糸３１の本数が編目の本数と等しいか、それより多い本数とすることも望ましい。このように、比較的密に連結糸３１を配位する場合には、モノフィラメントを連結糸３１として採用することが望ましい。連結糸３１は、表裏２層の編地１，２中に、ループ状の編目を形成してもよく、或いは、表裏２層の編目にタック組織で引っ掛けられたものであってもよい。
【００１１】
連結糸３１は、表裏の編地１，２間を実質的に垂直に延びて、表裏の編地１，２を連結する。即ち、図３（Ａ）に示すように、表の編地１，２から連結糸３１が出る点と、裏の編地１，２から連結糸３１が出る点とを結ぶ線分（仮想線ｘ１）が、編地１，２平面と実質的に直交するものとなっている。但し、編地１，２間隔を保持することができる限り、連結糸３１を傾斜して配位してもよい。即ち、図３（Ｂ）に示すように、表の編地１，２から連結糸３１が出る点と、裏の編地１，２から連結糸３１が出る点とを結ぶ線分（仮想線ｘ２）が、編地１，２平面に対して傾斜しているものでもよい。また、図３（Ａ）や図３（Ｂ）に示すように、表の編地１，２から連結糸３１が出る点と、裏の編地１，２から連結糸３１が出る点とを結ぶ各線分（仮想線ｘ１，ｘ１）（仮想線ｘ２，ｘ２）が、互いに平行であってもよいが、各線分が平行ではなくともよく、さらには、図３（Ｃ）に示すように、Ｘ状に交差しているものであってもよい。
【００１２】
連結糸３１が延びる形状は、図３（Ａ）や図３（Ｂ）に示すように、弓状に湾曲しているものであってもよく、或いは、図示はしないが、直線状であってもよい。また、図３（Ｃ）に示すように、不定形状であってもよい。さらに、直線状の連結糸３１と、弓状に湾曲した連結糸３１と、不定形に湾曲した連結糸３１との少なくとも２種類を組み合わせるようにしてもよい。弓状に湾曲させる場合、表裏２層の編地１，２を連結する複数の連結糸３１の半数以上が実質的に一定方向に湾曲させることが望ましい。例えば、図３（Ａ）の例では、連結糸３１は、表裏の編地１，２間を実質的に垂直に延びており、各連結糸３１が同じ方向に揃って弓状に湾曲しているため、上下方向（表裏の方向）に力ｆが加わった場合、連結糸３１が弓状に湾曲の度合いを高めるように揃って湾曲し、表裏の編地１，２間がスムーズに収縮する。図３（Ｂ）の例では、連結糸３１が傾斜して配位されており、且つ、各連結糸３１が同じ方向に揃って弓状に湾曲しているため、上下方向（表裏の方向）に力ｆが加わった場合、連結糸３１が傾斜している方向に傾斜角度を強めるようになると共に、連結糸３１が弓状に湾曲の度合いを高めるように揃って湾曲し、表裏の編地１，２間がよりスムーズに収縮する。各立体編地３における連結糸３１は、全てを一定方向に揃って弓状に湾曲させてもよいが、少なくとも５０％の連結糸３１を一定方向に揃って弓状に湾曲させることによって、表裏の編地１，２間がスムーズに収縮する。このように、少なくとも５０％の連結糸３１を一定方向に揃って弓状に湾曲させることによって、収縮する際には、表又は裏の編地１，２が一定方向にスライドするようにして収縮する。このように、方向性を持って収縮することによって、編地１，２に無理な力が加わらず、スムーズに収縮することができる。
【００１３】
連結糸３１の太さは、適度な弾性や反発性を得るために、単糸デニールが１５〜２０００デニールのものが好ましく、５０〜３００デニールのものがより好ましい。この立体編地３は、２列針床を有する編地１，２（経編地或いは緯編地）であって、例えば、ダブルラッセル機やダブル丸編機によって製造することができる。使用する繊維の素材は、ポリエステル、ポリアミド、ポリアクリロニトル等の合成繊維や再生繊維、さらにはウール、木綿等の天然繊維等、いずれであってもよく特に限定はされない。立体編地３をこのようにして構成するすることにより、厚さが好ましくは２〜３５mm、目付が好ましくは５０ｇ／m2〜２．５kg／m2である立体編地３が得られる。
【００１４】
上記のような立体編地３を長方形状に裁断して、少なくとも１枚を単独で、もしくは複数枚を重ね合わせることによって、本願発明の袋状シーツの上面部１１が構成される。重ね合わせた立体編地３は、互いに縫製や接着や熱溶着等で接合してもよいが、接合箇所の全面でなくとも、一部分であっても、使用上、重ね合わせ状態を維持できればよい。縫製としては、布製等の長尺のヘム用テープによって、複数枚重ね合わせた立体編地３の端縁の略全周を被覆し、被覆したヘム用テープの上縁と下縁とをそれぞれ、最上に位置する立体編地３の上面と、最下に位置する立体編地３の下面とに折り重ねて、上縁から下縁までを縫着するようにすることも望ましい。重ね合わせる枚数は、必要とされる上面部１１の厚みと使用する立体編地３の厚みとの関係で適宜変更でき、例えば、上記の３５mm厚の立体編地３を２枚重ねて７０mm厚の上面部１１を構成してもよい。多い場合には、２mmの立体編地３を１００枚重ねて２００mm厚の上面部１１を構成してもよい。
【００１５】
重ね合わせる立体編地３の種類は、単一のものであってもよいが、複数種類のものを組み合わせて用いることにより、弾性や伸縮性を調整できる。
【００１６】
また、図３（Ａ）や図３（Ｂ）に示すような、弓状に湾曲した連結糸３１を用いて、収縮の際に方向性を生じるようにしたものを複数枚重ねる際、その方向を各立体編地３間において異にするようにしておくことも望ましい。即ち、異なる方向性を備えた立体編地３が複数組み合わされて積層することによって、各立体編地３は方向性を持ってスムーズに収縮するが、上面部１１全体では方向性を低減したものとすることができる。尚、全ての立体編地３の方向性を異ならしめる必要はなく、一部の立体編地３の方向性を異ならしめることによって、上面部１１全体の方向性を低減させることができる。勿論、方向性の無いものと有るものとを組み合わせてもよい。各編地については、抗菌加工や防臭加工等の品質を高める加工を施しておいてもよい。その場合には、上面部１１の表面に位置する編地のみに各種の加工を施してもよく、全体にこれらの加工を施しておいてもよい。また、これらの加工は、編地完成後に行ってもよいが、糸の段階で行っておいてもよい。
【発明の効果】
【００１７】
本願発明に係る袋状シーツは、その上面部の立体編地が、優れた体圧分散効果と良好な通気性を有する。そしてこの立体編地を備えたシーツは全体が袋状をなしているため、ずれなく、適正な位置で敷寝具本体に配位することができる。また、上面部と下面部の大きさを所定のものとしたことによって、シーツ全体にしわが生じにくい。しかも、マットレスなどの敷寝具本体の端に腰をかけるなどした場合、敷寝具本体の端縁が沈んでしまって型崩れが生ずることがあるが、この型崩れのおそれを低減することができる袋状シーツを提供することができたものである。
【発明を実施するための最良の形態】
【００１８】
以下、図面に基づき本願発明の実施の形態を説明する。
図１は第１の実施の形態にかかる袋状シーツの斜視図である。
【００１９】
このシーツは、内部にウレタン製マット等の発泡合成樹脂を用いた敷布団等の敷寝具本体２０を入れるものである。
この袋状シーツは、敷寝具本体２０の上方に配位される上面部１１と、下方に配位される下面部１２と、この上面部１１と下面部１２との間を繋ぐ側面部１３とを備える。
上面部１１は、前述のとおり、複数の編地を備えた立体編地３により構成されており、この立体編地３は、表裏２層のメッシュ状編地１、２と、この２層のメッシュ状編地１、２を連結する複数の連結糸３１より構成されたものである。そして、この実施の形態では、立体編地３を３枚重ねたもので、この重ねられた複数の立体編地３の周縁がヘム用テープ４によって被覆されている。詳しくは、布製等の長尺のヘム用テープ４によって、複数枚重ね合わせた立体編地３の端縁の略全周を被覆し、被覆したヘム用テープ４の上縁と下縁とをそれぞれ、最上に位置する立体編地３の上面と、最下に位置する立体編地３の下面とに折り重ねて、上縁から下縁までを縫着点ａで縫着している。この上面部１１の大きさは、敷寝具本体２０の上面２１よりも一回り大きなものとしている。
【００２０】
側面部１３は、綿布など実質的に伸びのない生地によって構成されており、下面部１２よりも伸縮性が小さく、さらに望ましくは、上面部１１よりも伸縮性が小さい。側面部１３の上下幅は、敷寝具本体２０の厚みに略等しく設定されており、側面部１３の上縁は、上面部１１の周囲に縫着点ｂにて縫着され、側面部１３の下縁は、下面部１２の周囲に縫着点ｃで縫着されている。ここで、上記のように、上面部１１の周囲にヘム用テープ４が縫着点ａで縫着されている場合にあっては、側面部１３の上縁と立体編地１の上面部１１との縫着点ｂは、ヘム用テープ４の縫着点ａより内側の位置する。これら両縫着点ａ、ｂによって、上面部１１は、その上面から下面にかけて、２本の縫着用糸によって貫かれて止着されることとなる。
なお、この側面部１３を省略して、上面部１１の周囲と下面部１２の周囲とを縫着してもよい。
【００２１】
下面部１２は、織地又は編地からなる生地を用いるが、側面部１３よりも伸縮性の高い編地を用いることが望ましい。この下面部１２は、引っ張り力を加えない自由状態で、上記の上面部１１と等しいか、これより小さく形成することが望ましい。この例では、敷寝具本体２０の下面２２の大きさが上記の袋状シーツ１の下面部１２の大きさよりも小さく形成されている。なお、敷寝具本体２０の上面２１と下面２２の大きさは略等しいのが通常であるが、かならずしも等しく設定する必要はない。袋状シーツ１の周囲の長さ（上面部１１と下面部１２と２つの側面部１３の長さの和）を、敷寝具本体２０の周囲の長さ（即ち、上面と下面と２つの側面の長さの和）よりも小さく設定し、伸縮性のある下面部１２の編地が伸びた状態で、両者の長さが略等しくなるように設定しておくことが望ましい。
【００２２】
ここで、袋状シーツ１の大きさと敷寝具本体２０の大きさとをまとめておく。
上面部１１の長さ（即ち、縫着点ｂと縫着点ｂとの間の長さ）は、敷寝具本体２０の上面２１の長さより１０〜６０mm大きい。
下面部１２の長さ（即ち、縫着点ｃと縫着点ｃとの間の長さ）は、敷寝具本体２０の下面２２の長さより１０〜６０mm小さい。
側面部１３の長さ（即ち縫着点ｂと縫着点ｃとの間の長さ）は、敷寝具本体２０の側面２３の上下長さより−２０〜＋２０mmの範囲にある。
なお、縫着点ｂから縫着点ａまでの長さは５〜２０mmが好ましく、縫着点ａからヘム用テープ４の外端までの長さは５〜２０mmが好ましい。よって、縫着点ｂからヘム用テープ４の外端までの長さは１０〜４０mmが好ましい。
【００２３】
よって、この例では、袋状シーツ１の上面部１１の周縁（即ち、上面部１１と側面部１３との縫着箇所）は、敷寝具本体２０の上面２１よりもはみ出して、寝具の側面２３に沿って配位されることになる。他方、袋状シーツ１の下面部１２の周縁（即ち、下面部１２と側面部１３との縫着箇所）は、敷寝具本体２０の下面２１に沿って配位されることとなる。また、伸縮性のある下面部１２が敷寝具本体２０より小さいため、下面部１２は伸長状態となり、袋状シーツ１全体がピンと張ったようになる。
【００２４】
また、また、３層の立体編地３を備えた上面部１１は、敷寝具本体２０の上端角で折り曲げられるため、敷寝具本体２０の上端角は圧縮を受けた状態となる。しかも、折り曲げられた上面部１１の周縁、側面部１３との縫着箇所、ヘム用テープ４の縫着箇所、ヘム用テープ４が、縦に配列し、縦方向への加重に対して強い状態となる。これにより、マットなどの敷寝具本体の縁に腰が出て、周縁部が比較的圧縮に強いくなる。よって、敷寝具本体２０の周囲に腰を降ろした場合でも、周縁がへたってしまうことを緩和できたものである。
【００２５】
実施例１
以下の条件の敷寝具本体に袋状シーツを入れた敷寝具を作成した。
敷寝具本体  
材質＝ウレタンフォーム  
幅×長さ×厚み＝８５mm×１９５mm×１１．５mm
袋状シーツの上面部
材質＝旭化成せんい株式会社  フュージョン（登録商標）３枚
幅×長さ×厚み＝９０mm×２００mm×１．７mm（ただし、縫着点ａを基準とする）
袋状シーツの側面部
材質＝綿布
高さ＝１１．５mm（ただし、縫着点ｂ及び縫着点ｃを基準とする）
袋状シーツ下面部
材質＝ポリアミド製ニット
幅×長さ＝７５mm×１９０mm（ただし、縫着点ｃを基準とする）
【００２６】
比較例１
下記の大きさの敷寝具本体及び面状シーツを重ねて、敷寝具とした。
敷寝具本体  
材質＝ウレタンフォーム  
幅×長さ×厚み＝８５mm×１９５mm×１１．５mm
面状シーツ
材質＝旭化成せんい株式会社  フュージョン（登録商標）３枚
幅×長さ×厚み＝９０mm×２００mm×１．７Mm
【００２７】
測定試験
実施例1及び比較例１の敷寝具について、２箇所で体圧分散性能評価を行った。第１箇所は実施例の敷寝具の中央であり、第２箇所は敷寝具の右側の側端部である。
測定条件は、簡易ベッド上に実施例１の敷寝具を敷いて、第１箇所、第２箇所のそれぞれの位置にてＢＭＩ＝２４．８の成人男性が仰臥位で臥床した時の体圧分布を測定し、臀部の仙骨部付近の最大値を求めた。
【００２８】
測定装置は、ＸＳＥＮＳＯＲ  Ｔｅｃｈｎｏｌｏｇｙ  Ｃｏｒｐｏｒａｔｉｏｎ社（カナダ）製の ＸＳＥＮＳＯＲ  Ｘ２  ＢｏｄｙＳｅｎｓｏｒ  Ｓｙｓｔｅｍを用いて、１フレーム／秒で１０秒間（１０フレーム）測定し、その平均値を求めた。
測定結果
実施例１の第１箇所（中央部）：４８ｍｍＨｇ
実施例１の第２箇所（側端部）：５２ｍｍＨｇ
実施例２の第１箇所（中央部）：４８ｍｍＨｇ
実施例２の第２箇所（側端部）：４８ｍｍＨｇ
この結果は、実施例１にあっては、面状シーツ自体の構成を変更せずとも、側端部の体圧分散性能を変化させ得ること示しており、特に、数値が高くなることは体圧分散効果が低下している反面、その分、固く腰があるとことを示しているものである。
【００２９】
モニター試験
５名の成人被験者によって、寝心地及びベッドの側端部における座り心地の試験を行ったところ、下記の結果を得た。
試験方法
モニターの普段使用しているベッドの普段使用していた敷寝具に替えて、実施例１及び比較例１の敷寝具を敷いてそれぞれ３日間ずつ、日常生活を行い、被験者が普段使用していた敷寝具との使用感の差異を点数評価し、５人の平均点を求めた。
【００３０】
評価基準
実施例１及び比較例１が普段使用の敷寝具よりも
良い＝５点、
少し良い＝４点、
同じ＝３点、
あまり良くない＝２点、
悪い＝１点。
評価のポイント
寝心地の評価は、敷寝具上に横になったときの体圧分散や通気性などを総合的に判断した評価を求めた。
ベッドの側端部における座り心地は、敷寝具上に横になった状態から、敷寝具の側端部に腰をかけて足を床に降ろした状態までの動作のし易さと体の安定性の良否を総合的に判断した評価を求めた。
【００３１】
評価結果
寝心地の評価結果
実施例１：４．２点
比較例１：４．４点
ベッドの側端部における座り心地の評価結果
実施例１：２．６点
比較例１：１．８点
【００３２】
実施例１にあっては、寝心地の良さについて良好な結果を示すと同時に、側端部での座り心地の良さについても通常の寝具と同程度の良好性を示す敷寝具であることが体圧分散試験及びモニター試験の双方で確認されたものである。
【図面の簡単な説明】
【００３３】
【図１】本願発明の袋状シーツに用いる立体編地の模式図である。
【図２】本願発明の袋状シーツに用いる他の立体編地の模式図である。
【図３】（Ａ）は本願発明の袋状シーツに用いる立体編地の断面を示す説明図であり、（Ｂ）は本願発明の袋状シーツに用いる他の立体編地の断面を示す説明図であり、（Ｃ）は本願発明の袋状シーツに用いるさらに他の立体編地の断面を示す説明図である。
【図４】本願発明の袋状シーツの斜視図である。
【図５】本願発明の一の実施の形態に係る袋状シーツの断面図である。
【図６】本願発明の他の実施の形態に係る袋状シーツと敷寝具本体の断面図である。
【符号の説明】
【００３４】
１    表の編地
２    裏の編地
３    立体編地
４    ヘム用テープ
１１  上面部
１２  下面部
１３  側面部
２０  敷寝具本体
２１  上面
２２  下面
２３  側面
３１  連結糸
【図１】
0005255864.tif 000002
【図２】
0005255864.tif 000003
【図３】
0005255864.tif 000004
【図４】
0005255864.tif 000005
【図５】
0005255864.tif 000006
【図６】
0005255864.tif 000007